(57)【要約】【課題】半田付けが不要で、１回の作業によりカメラモジュールの基板への組み込みを行うことが可能な実装構造を実現する。【解決手段】基板２にカメラモジュール１が組み込まれてなるカメラモジュールの実装構造である。接点端子３が形成された基板２がカメラモジュール１とコネクタハウジング４とで挟み込まれ、カメラモジュール１が基板２に対して取り付け固定されるとともに、カメラモジュール１の接続端子部に基板２に形成された接点端子３が接触固定される。基板２は、例えばフレキシブル基板である。【選択図】  図１
2004327298.tif 000002
【特許請求の範囲】
【請求項１】
基板にカメラモジュールが組み込まれてなるカメラモジュールの実装構造であって、
接点端子が形成された基板がカメラモジュールとコネクタハウジングとで挟み込まれ、カメラモジュールが基板に対して取り付け固定されるとともに、カメラモジュールの接続端子部に基板に形成された接点端子が接触固定されていることを特徴とするカメラモジュールの実装構造。
【請求項２】
前記基板は、その端部において周縁に沿って３方向に接点端子が形成され、
前記コネクタハウジングは、前記接点端子が形成された周縁に対応して立ち上がり壁を有し、当該立ち上がり壁に前記接点端子を収容する凹部を有することを特徴とする請求項１記載のカメラモジュールの実装構造。
【請求項３】
前記基板はフレキシブル基板であることを特徴とする請求項１又は２記載のカメラモジュールの実装構造。
【請求項４】
前記接点端子は、基板の配線パターンの一部として形成されていることを特徴とする請求項１記載のカメラモジュールの実装構造。
【発明の詳細な説明】
【０００１】
【発明の属する技術分野】
本発明は、カメラモジュールの基板への実装構造に関するものであり、特に、半田付けが不要な新規なカメラモジュールの実装構造に関する。
【０００２】
【従来の技術】
カメラモジュールの基板への実装方法としては、印刷回路基板上に印刷回路の端子を露出させて設け、ここにカメラモジュールを載置して半田付けにて接続するという方法が広く行われている。
【０００３】
このとき、カメラモジュールは半田リフロー温度に耐えるだけの耐熱性を有していないので、リフローによる半田付けは不可能であり、実装作業は手作業により行われている。手作業による実装は、極めて作業効率が悪く、実装精度の低下を招く虞れもある。
【０００４】
そこで、本願出願人は、基板上にカメラモジュールを組み込むためのコネクタを実装し、このコネクタにカメラモジュールを組み込むカメラモジュールの基板への実装方法を提案している。前記カメラモジュールの基板への実装方法では、図３に示すように、印刷回路基板１０２に印刷回路の端子１０３を露出させて設け、端子１０３上にコネクタ１０４を半田付けにて固着した後、コネクタ１０４にカメラモジュール１０１を組み込み、カメラモジュール１０１を印刷回路基板１０２に実装するようにしている。
【０００５】
実装に際しては、印刷回路基板１０２上に露出して設けられた端子１０３上に半田を載せ、端子１０３及び半田上にコネクタ１０４を載置し、リフローによる自動実装を行う。これによりコネクタ１０４が印刷回路基板１０２に実装される。そして、コネクタ１０４にカメラモジュール１０１を嵌め込むことにより組み込むと、カメラモジュール１０１が印刷回路基板１０２に実装される。
【０００６】
このような実装方法を採用することにより、コネクタ１０４に関してはリフローによる自動実装が可能となり、カメラモジュール１０１に関しては半田付けによる実装が不要となるので、手半田による実装に比べて作業効率を大幅に高めることができるとともに、実装精度の向上を図ることが可能となる。
【０００７】
【発明が解決しようとする課題】
しかしながら、コネクタ１０４を半田付けする実装構造の場合、コネクタ１０４の実装の際のマウンタによるコネクタ１０４の印刷回路基板１０２へのセッティングの手間が必要であり、さらには、コネクタ１０４の実装とカメラモジュール１０１の組み込みの２工程が必要であるため、組み込み作業が繁雑化するという問題を残している。
【０００８】
本発明は、かかる従来技術の有する欠点を解消するために提案されたものであり、半田付けが不要で、１回の作業によりカメラモジュールの基板への組み込みを行うことが可能な全く新規なカメラモジュールの実装構造を提供することを目的とする。
【０００９】
【課題を解決するための手段】
上述の目的を達成するために、本発明は、基板にカメラモジュールが組み込まれてなるカメラモジュールの実装構造において、接点端子が形成された基板がカメラモジュールとコネクタハウジングとで挟み込まれ、カメラモジュールが基板に対して取り付け固定されるとともに、カメラモジュールの接続端子部に基板に形成された接点端子が接触固定されていることを特徴とする。
【００１０】
本発明の実装構造では、カメラモジュールをコネクタハウジングに嵌合する際に接続端子を有する基板を挟み込むことで、端子接続とカメラモジュールの基板への取り付けが同時に行われる。このとき、基板の接点端子は、カメラモジュールの側面とコネクタハウジングの内面の間に挟み込まれ、機械的にカメラモジュールの接続端子部に圧接されるので、半田付けすることなく電気的な導通が図られる。
【００１１】
【発明の実施の形態】
以下、本発明を適用したカメラモジュールの実装構造について、図面を参照して詳細に説明する。
【００１２】
図１は、本発明のカメラモジュールの実装構造を説明する図であり、（ａ）は実装前の状態、（ｂ）はカメラモジュールを基板に載置した状態、（ｃ）はカメラモジュールの実装状態をそれぞれ示す。
【００１３】
本実施形態において、カメラモジュール１を基板２に実装するには、先ず、図１（ａ）に示すように、接点端子３を形成した基板２を準備する。この基板２は、例えばフレキシブル基板であり、その一端部において、本例では３方向の周縁に沿って、それぞれ複数本の接点端子３が形成されている。接点端子３は、例えば基板２の表面に貼り合わされた銅箔等を他の配線パターンと同時にエッチングすることにより配線パターンの一部として形成することができ、基板材料である例えばポリイミドを溶解除去することにより基板２から突出する形に形成することができる。
【００１４】
そして、基板２の背面側には、コネクタハウジング４を配置する。このコネクタハウジング４は、例えばプラスチック等により形成されるもので、それ自体は端子等は有していない。単なるハウジングである。
【００１５】
コネクタハウジング４は、前記基板２の接点端子３が設けられた周縁に対応して３方向に立ち上がり壁４ａを有し、一方向が開放された筐体状の形状を呈している。そして、カメラモジュール１の外形寸法よりも若干大きな内形寸法を有しており、この内部空間にカメラモジュール１を収容するようになっている。
【００１６】
また、このコネクタハウジング４の前記立ち上がり壁４ａには、それぞれ基板２の接点端子３に対応してこれを収容する凹部４ｂが配列形成されている。これらの凹部４ｂは、カメラモジュール１の実装状態で基板２の接点端子３を収容し、その不用意な折れ曲がり等を防止して、接点端子３のカメラモジュール１の接続端子部に対して正確に位置決めする役割を果たす。
【００１７】
カメラモジュール１は、前記コネクタハウジング４の形状に対応して略々方形状の外形形状を有し、その中央にレンズ１ａを有する円筒部１ｂが設けられている。そして、この方形状の部分の周面には、底面近傍に接続用端子部が配列形成されている。
【００１８】
このカメラモジュール１は、前記基板２を挟んでコネクタハウジング４とは反対側に配置する。本実施形態では、基板２の上面側にカメラモジュール１を、下面側にコネクタハウジング４を配置している。
【００１９】
カメラモジュール１の実装の際には、図１（ｂ）に示すように、基板２上にカメラモジュール１を載置する。このとき、カメラモジュール１は基板２に対して正確に位置決めする必要はなく、単に載置するだけでよい。
【００２０】
この状態で、カメラモジュール１を基板２とともにコネクタハウジング４に嵌め込む。コネクタハウジング４は、プラスチック製であるので、ある程度の弾性を有しており、したがってカメラモジュール１を押し込むことで、簡単に嵌め込むことができる。そして、嵌め込んだ後は、コネクタハウジング４の弾性力により、カメラモジュール１の周面がコネクタハウジング４の立ち上がり壁４ａによって押圧支持される形になり、簡単に脱落することがない。
【００２１】
また、嵌め込みの際に、基板２に設けられた接点端子３は、カメラモジュール１とコネクタハウジング４の間でほぼ９０度折り曲げられ、カメラモジュール１の周面とコネクタハウジング４の立ち上がり壁４ａの内面との間に挟み込まれる。したがって、これら接点端子３は、カメラモジュール１のコネクタハウジング４への嵌合と同時にカメラモジュール１の周面の接続端子部と接続され、電気的な導通が図られる。このとき、半田付け等は不要である。
【００２２】
各接点端子３は、コネクタハウジング４の立ち上がり壁４ａに設けられた凹部４ｂによって位置決めされるので、カメラモジュール１の接続端子部に正確に位置決めされた状態で互いに接続される。また、各接点端子３は、カメラモジュール１の実装後には、その先端がコネクタハウジング４の立ち上がり壁４ａに設けられた凹部４ｂの端部に突き当たる形になるので、基板２の抜け落ちが防止される。
【００２３】
以上により、図１（ｃ）に示すように、カメラモジュール１が基板２に実装される。実装状態では、基板２がカメラモジュール１とコネクタハウジング４に挟み込まれた状態で強固に一体化され、安定した実装状態が保たれる。
【００２４】
図２は、このカメラモジュール１を実装した基板２を機器筐体５内へ組み込んだ状態を示すものである。カメラモジュール１を組み込んだ実装部分は、図２に示す通り機器筐体５内に組み込まれるが、フレキシブル基板である基板２の他端部をメイン基板６と接続する。
【００２５】
このような組み込み構造を採用することにより、フレキシブル基板である基板２の自由度により、機器筐体５の寸法精度を緩和することができる。また、カメラモジュール１に加わる衝撃や振動がメイン基板６に伝わることがなく、不用意な断線等を解消して、信頼性を向上することができる。さらに、メイン基板６に対してカメラモジュール１の取り付け角度を自由に変更するとができるという利点も有する。
【００２６】
【発明の効果】
以上の説明からも明らかなように、本発明の実装構造によれば、１回の作業によりカメラモジュールを基板へ組み込むことが可能である。したがって、工数を低減することができ、生産性を大幅に向上することが可能である。
【００２７】
また、本発明の実装構造では、実装に際して半田付けは一切不要であることから、半田を使用しない分、コストを低減することができ、鉛フリーにも対応することが可能である。さらに、基板にフレキシブル基板を用いることで位置決めの自由度が増すこと、接続状態に不良が発生した場合に交換が容易であること等の利点も有する。
【図面の簡単な説明】
【図１】本発明のカメラモジュールの実装構造を説明する図であり、（ａ）は実装前の状態、（ｂ）はカメラモジュールを基板に載置した状態、（ｃ）はカメラモジュールの実装状態をそれぞれ示す。
【図２】実装したカメラモジュールの機器筐体への組み込み状態を示す概略断面図である。
【図３】従来のカメラモジュールの実装方法を示す分解斜視図である。
【符号の説明】
１        カメラモジュール
２        基板
３        接点端子
４        コネクタハウジング
４ａ      立ち上がり壁
４ｂ      凹部
５        機器筐体
６        メイン基板
【図１】
2004327298.tif 000003
【図２】
2004327298.tif 000004
【図３】
2004327298.tif 000005